(57)【要約】【課題】投光部の使用時には、その位置ずれを防止しながら照明位置を固定でき、投光部の未使用時には、軽い操作力で簡単に退避させることが可能な医療用照明装置を提供する。【解決手段】水平旋回可能な第１アーム１１の先端に、投光部を有する第２アーム１２がヒンジ部材２０を介して垂直回動可能に接続されてなり、このヒンジ部材２０は、垂直回動時の抵抗を付与するためのトルク発生機構３０と、第１アーム１１に対して第２アーム１２の垂直下方への回動時にはトルク発生機構３０と第２アーム１２とを接続状態とし、第２アーム１２の垂直上方への回動時にはトルク発生機構３０と第２アーム１２との接続を解除するクラッチ機構３１とを有する。【選択図】      図５
2015202146.tif 000002
【特許請求の範囲】
【請求項１】
水平旋回可能な第１アームの先端に、先方側に投光部を有する第２アームがヒンジ部材を介して垂直回転可能に接続され、このヒンジ部材は、垂直回動時の抵抗を付与するためのトルク発生機構と、前記第１アームに対して前記第２アームの垂直下方への回動時には前記トルク発生機構と前記第２アームとを接続状態とし、前記第２アームの垂直上方への回動時には前記トルク発生機構と前記第２アームとの接続を解除するクラッチ機構とを有することを特徴とする医療用照明装置。
【請求項２】
前記ヒンジ部材は、第１アームに直交する方向にヒンジ軸を有しており、前記トルク発生機構は、前記第１アームに一体のプレートと、前記ヒンジ軸に一体のプレートと、これらプレートの間に介在された摩擦板とが前記ヒンジ軸に沿って並んだ状態に設けられるとともに、前記プレートを前記ヒンジ軸の軸方向に押圧して前記摩擦板を挟持状態に保持する押圧部材を備えており、前記クラッチ機構は、前記ヒンジ軸と該ヒンジ軸に直交する前記第２アームとの間に設けられていることを特徴とする請求項１記載の医療用照明装置。
【請求項３】
前記第１アームの先端に円筒状ハウジングが前記第１アームに直交して設けられるとともに、前記円筒状ハウジング内に前記トルク発生機構が収容され、前記第２アームの基端部に前記円筒状ハウジングとほぼ同径の円筒状ブラケットが前記第２アームに直交して設けられていることを特徴とする請求項１又は２記載の医療用照明装置。
【発明の詳細な説明】
【技術分野】
【０００１】
本発明は、産婦人科等で用いられる検診台で診療を受ける患者の診療部位を照明するために使用される医療用照明装置に関する。
【背景技術】
【０００２】
産婦人科等における診察や治療等の際には、通常、患者の診療部位を照らす投光部を有する医療用照明装置が用いられる。この医療用照明装置は、患者や診察ごとに投光部による照明位置を調節するために、投光部が可動するように設けられており、未使用時には診察の邪魔にならないように投光部を退避させることができる。
【０００３】
この種の照明装置として、例えば、特許文献１の医療用照明装置が開示されている。この照明装置では、キャスターを有する十字形の支持部にポールが立設され、このポールに投光部が設けられた支持部が設けられている。支持部は、アームがジョイント金具で連結された構成とされ、ジョイント金具を介してアームが回転可能に設けられていることで、このアームを介して投光部の位置や角度が調節され、光が所定位置に照射される。
【先行技術文献】
【特許文献】
【０００４】
【特許文献１】特開平７−２３０７０３号公報
【発明の概要】
【発明が解決しようとする課題】
【０００５】
ところで、投光部の自重などで照明位置が診療部位からずれないように、投光部を所定位置で固定した状態に保持できることが必要である。しかしながら、特許文献１のように、単にアームがジョイント金具で回転可能に接続されている構造の場合には、診察時等に投光部を退避させるときには、ジョイント金具の力に抗してアームを動かさなければならず、投光部を照明位置で強く位置保持する場合、ジョイント金具によるアームの締め付け力が大きくなるため、投光部を簡単に退避させることが難しくなる。このように、投光部による照明時の位置の保持と、投光部を退避させるときの操作容易性との双方を確保することは困難になっている。
また、このような照明装置に対して投光部を所定位置で停止させ、操作時には軽く操作可能になるように重りを有するバランサーを設ける場合があるが、その調整が難しいとともに、このバランサーがアームの外部に突出するため全体が大型化し、操作の邪魔になり易い。
【０００６】
本発明は、このような事情に鑑みてなされたもので、投光部の使用時には、その位置ずれを防止しながら照明位置を固定でき、投光部の未使用時には、軽い操作力で簡単に退避させることが可能な医療用照明装置を提供することを目的とする。
【課題を解決するための手段】
【０００７】
本発明の医療用照明装置は、水平旋回可能な第１アームの先端に、投光部を有する第２アームがヒンジ部材を介して垂直回動可能に接続されてなり、このヒンジ部材は、垂直回動時の抵抗を付与するためのトルク発生機構と、前記第１アームに対して前記第２アームの垂直下方への回動時には前記トルク発生機構と前記第２アームとを接続状態とし、前記第２アームの垂直上方への回動時には前記トルク発生機構と前記第２アームとの接続を解除するクラッチ機構とを有することを特徴とする。
【０００８】
第１アームに対して第２アームが垂直下方に回動されるときには、クラッチ機構がトルク発生機構と第２アームとを接続状態とすることから、所定の回転トルクが働いて投光部が自然に下降することなく所定の照明位置に固定保持され、一方、第２アームが垂直上方に回動されるときには、クラッチ機構によりトルク発生機構と第２アームとの接続が解除されるため、トルク発生機構の抵抗を受けることなく軽い力で投光部を垂直上方に移動させることが可能になる。
また、垂直上方に回動させた後は、ヒンジ部材に垂直下方に向けて第１アームの自重が作用するが、クラッチ機構により接続されるトルク発生機構の作用により、第１アームは下降することなく固定保持される。
【０００９】
本発明の医療用照明装置において、前記ヒンジ部材は、前記第１アーム及び前記第２アームに直交する方向にヒンジ軸を有しており、前記トルク発生機構は、前記第１アームに一体のプレート（実施形態では内向きフランジ状プレート）と、前記ヒンジ軸に取り付けたプレート（実施形態では取付用プレート）と、これらプレートの間に介在された摩擦板とが前記ヒンジ軸に沿って並んだ状態に設けられるとともに、前記プレートを前記ヒンジ軸の軸方向に押圧して前記摩擦板を挟持状態に保持する押圧部材を備えており、前記クラッチ機構は、前記ヒンジ軸と前記第２アームとの間に設けられている。
【００１０】
この構造により、第１アームとヒンジ軸との間のトルク発生機構により、第２アームの垂直下方への回動時に所定のトルクが負荷され、一方、ヒンジ軸と第２アームとの間のクラッチ機構により、第２アームの垂直上方への回動時にトルク発生機構との接続が解除されてトルクが負荷されることなく動作可能になる。また、第１アームとヒンジ軸との間にトルク発生機構が設けられているので、第２アームにはトルク発生機構の重量が作用せず、したがって、第２アームを垂直上方に回動する際の力を軽減することができる。
【００１１】
また、前記第１アームの先端に円筒状ハウジングが前記第１アームに直交して設けられるとともに、前記円筒状ハウジング内に前記トルク発生機構が収容され、前記第２アームの基端部に前記円筒状ハウジングとほぼ同径の円筒状ブラケットが前記第２アームに直交して設けられている。
このような構造としたことにより、第１アームの先端と第２アームの基端部との接続部分が、円筒状ハウジングと円筒状ブラケットとの外観により構成されるので、統一感が向上し、美観に優れた形状となる。
【発明の効果】
【００１２】
本発明の医療用照明装置によれば、トルク発生機構とクラッチ機構とを有するヒンジ部材が設けられていることで、投光部の使用時には、その位置ずれを防止しながら照明位置を固定でき、投光部の未使用時には、投光部を軽い操作力で簡単に退避させることができる。
【図面の簡単な説明】
【００１３】
【図１】本発明における医療用照明装置の一実施形態を示した外観図である。
【図２】図１の医療用照明装置のアーム部付近を示した外観図である。
【図３】アーム部の側面図である。
【図４】図２におけるヒンジ部材付近の拡大図である。
【図５】ヒンジ部材の分離斜視図である。
【図６】図３におけるＡ−Ａ線に沿う断面図である。
【図７】クラッチ機構の一例を示した模式図である。
【発明を実施するための形態】
【００１４】
以下、本発明の医療用照明装置の実施形態を図面を参照しながら説明する。
図１は、本発明の医療用照明装置の一実施形態を示している。この医療用照明装置１は、支持台２、支柱部３、アーム部４、投光部５を有しており、例えば検診台６０に仰臥した患者の局部などの診療部位を照明する際などに用いられる。
【００１５】
支持台２は、支柱部３を垂直に支持しており、その支柱部３の上端にアーム部４が設けられ、そのアーム部４を介して投光部５が取付けられている。支持台２の底部には、支持台２を移動可能とするキャスター６が設けられている。さらに、支持台２には、投光部５の照明のＯＮ／ＯＦＦなどを操作可能なパネル部７、作業台８等が設けられており、投光部５にも調光などを操作可能なパネル部９が設けられている。
【００１６】
図２及び図３に示したアーム部４は、支柱部３から順に、基部アーム１０、第１アーム１１、第２アーム１２、フレキシブルアーム１３を有しており、基部アーム１０と第１アーム１１とは水平旋回用、第２アーム１２は垂直回動用、フレキシブルアーム１３は照射位置調節用のアームとしてそれぞれ設けられる。支柱部３と基部アーム１０、基部アーム１０と第１アーム１１とは、それぞれ適宜の水平旋回用ヒンジ具１４を介して水平旋回可能に接続されている。
【００１７】
第１アーム１１の先端には、第２アーム１２が垂直回動用ヒンジ部材２０を介して垂直回動可能に接続される。
また、フレキシブルアーム１３は、屈曲自在であり、一端側が第２アーム１２に固定され、他端側には投光部５が設けられる。
このような構造により、アーム部４は、支柱部３を基端側として基部アーム１０、第１アーム１１、第２アーム１２を介して水平方向、垂直方向に回動して投光部５を任意の位置に配置することができ、さらにフレキシブルアーム１３により投光部５の姿勢や高さ等の微調節が可能になっている。
【００１８】
第１アーム１１と第２アーム１２との接続構造を詳述すると、図４から図６に示すように、第１アーム１１と第２アーム１２とを接続するヒンジ部材２０は、トルクヒンジからなるトルク発生機構３０と、ワンウェイクラッチからなるクラッチ機構３１とを有しており、図６に示すように、第１アーム１１、第２アーム１２に直交する方向に設けられたヒンジ軸３２を有している。
また、第１アーム１１の先端に、円筒状ハウジング２１が第１アーム１１に直交した配置で一体に設けられ、一方、第２アーム１２の基端部には、円筒状ハウジング２１とほぼ同径の円筒状ブラケット２２が第２アーム１２に直交した配置で一体に設けられている。これら円筒状ハウジング２１及び円筒状ブラケット２２がヒンジ部材２０によって接続されるとともに、その円筒状ハウジング２１内にトルク発生機構３０が収容され、円筒状ブラケット２２にクラッチ機構３１が組み込まれている。
ヒンジ軸３２は、トルク発生機構３０に設けられた第１軸３３と、この第１軸３３の同一軸心上に直列的に設けられた第２軸３４とにより構成されている。図示例では、第１軸３３及び第２軸３４ともスリーブ状に形成されている。
【００１９】
トルク発生機構３０は、第１軸３３に、２枚の取付用プレート４０と、２枚の摩擦板４１と、２枚の補助プレート４２と、押圧部材４３とが取り付けられている。これら取付用プレート４０、摩擦版４１、補助プレート４２、押圧部材４３は、いずれもリング状に形成されており、第１軸３３を挿通した状態に装着される。
この場合、第１軸３３の先端部に外向きフランジ部４５が一体に形成されており、この外向きフランジ４５から軸方向に順に、補助プレート４２、摩擦版４１、取付用プレート４０、摩擦版４１、補助プレート４２、取付用プレート４０が取り付けられ、これらが押圧部材４３によって外向きフランジ部４５に対して第１軸３３の軸方向に押圧された状態となっている。このため、両取付用プレート４０を相対回転する際には、摩擦板４１の摩擦力によって回転トルクが発生する。押圧部材４３は、皿ばね４６と押さえワッシャ４７とにより構成される。
【００２０】
また、円筒状ハウジング２１の内周部には、内向きフランジ状プレート２３が一体に設けられており、この内向きフランジ状プレート２３に、２枚の取付用プレートのうちの１枚の取付用プレート４０がねじ止め等によって固定されている。
一方、残りの１枚の取付用プレート４０には第２軸３４が固定されている。この場合、第２軸３４の一端部には、取付用プレート４０の表面に当接するリング盤部３５が一体に形成されており、このリング盤部３５が取付用プレート４０にねじ止め等によって固定されている。
そして、この第２軸３４にクラッチ機構３１が取り付けられ、このクラッチ機構３１を介して円筒状ブラケット２２が取り付けられている。
【００２１】
クラッチ機構３１は、例えば、図７の模式図に示すような内部構造に設けられる。このクラッチ機構３１は、外輪５０の内周部にコイルばね５１に付勢された状態に多数のころ５２が装着されている。そして、外輪５０が図７（ａ）に示すように第２軸３４に対して時計回りに回転しようとすると、ばね５１のスプリング作用でころ５２が外輪５０のカム面５４のかみあい位置に移動して、カム面５４と第２軸３４とのくさび作用で第２軸３４を供回りするように駆動する。一方、外輪５０が図７（ｂ）に示すように第２軸３４に対して反時計回りに回転すると、ころ５２が外輪５０のカム面５４から離れ、外輪５０が第２軸３４に対して空転する、という構成である。
【００２２】
このような構成のクラッチ機構３１の外輪５０が第２軸３４の外周面に取り付けられ、外輪５０の一端が第２軸３４のリング盤部３５と一体の拡径部３６表面に取り付けた樹脂製のワッシャ５５に当接され、第２軸３４の端部に設けたカラー５６と止め輪５７とによって外輪５０の他端が抜け止めされている。また、この外輪５０の外周面に嵌着するように円筒状ブラケット２２が固定されている。
そして、この実施形態においては、円筒状ブラケット２２に一体の第２アーム１２を垂直下方に回動しようとする場合に、図７（ａ）に示すようにクラッチ機構３１が円筒状ブラケット２２を第２軸３４に接続してこの第２軸３４を供回りするように駆動し、反対方向の垂直上方に第２アーム１２を回動する場合には、図７（ｂ）に示すようにクラッチ機構３１が円筒状ブラケット２２と第２軸３４との接続を解除して、外輪５０に対して第２アーム１２が空転するように配置される。
【００２３】
この第２軸３４にはトルク発生機構３０が固定されているので、このような構造とすることにより、ヒンジ部材２０は、第１アーム１１に対して第２アーム１２を垂直下方に回動しようとする場合は、クラッチ機構３１が第２アーム１２をトルク発生機構３０に接続して、その垂直下方への回動に抵抗を付与し、一方、第２アーム１２を垂直上方に回動する場合には、クラッチ機構３１が第２アーム１２とトルク発生機構３０との接続を解除して、第２アーム１２のみを垂直上方に回動することができる。トルク発生機構３０のトルク容量としては、第２アーム１２とその先に設けられるフレキシブルアーム１３、及び投光部５の重量によっては垂直回動しない程度に設定される。これにより、第２アーム１２を任意の回動位置で固定するフリーストップ機能が発揮される。
【００２４】
なお、投光部５は、その光源としては、例えば、ＬＥＤランプやハロゲンランプが用いられ、前述したようにフレキシブルアーム１３の屈曲により光の照射位置が調整可能になっている。さらに、パネル部９により光の明るさなども調節可能である。
検診台６０について若干説明しておくと、支持台６１の上に腰受け６２、背もたれ６３が設けられるとともに、腰受け６２の両側に肘掛け６４が設けられ、腰受け６２の脚側の位置には脚受け台６５が設けられている。
【００２５】
本発明の医療用照明装置１は、図１に示すように、この検診台６０の付近に設置され、投光部５で患者の診療部位を照明する際に第２アーム１２を垂直下方に回動し、あるいは投光部５を持って下方に移動すると、クラッチ機構３１が第２アーム１２と第２軸３４とを一体に回動させ、これにより、第２軸３４に一体の第１軸３３のトルク発生機構３０により第２アーム１２に回転トルクが作用する。このため、使用者は、この回転トルクによる抵抗を感じながら第２アーム１２を垂直下方に回動し、あるいは投光部５を移動しながら、目的の位置に投光部５を配置する。投光部５を目的の位置に配置したら、第２アーム１２あるいは投光部５から手を離せば、前述したように第２アーム１２等の自重に対抗するトルク発生機構３０の発生トルクにより、投光部５の位置は固定され、その照明位置がずれることはない。
【００２６】
一方、投光部５の未使用時などにこの投光部５又は第２アーム１２を垂直上方に移動させると、クラッチ機構３１の外輪５０が第２軸３４に対して空転するため、第２軸３４に取り付けられたトルク発生機構３０と第２アーム１２との接続状態が解除される。このため、使用者は、トルク発生機構３０の抵抗を受けることなく、投光部５を垂直上方に移動することができる。このときの力は、投光部５等の自重を上回る程度でよいため、投光部５を下げるときよりも軽い力で移動させることができる。
【００２７】
このような構造の照明装置１において、前述したトルク発生機構３０やクラッチ機構３１は、第１アーム１１と第２アーム１２との間で円筒状ハウジング２１及び円筒状ブラケット２２の内側に収容されるように設けられているので、第１アーム１１と第２アーム１２との接続部分には、トルク発生機構３０やクラッチ機構３１が露出することなく、円筒状ハウジング２１と円筒状ブラケット２２とにより外観が構成され、統一感が向上して、美観に優れた形状となり、医療用装置として清潔感のある装置となる。
【００２８】
なお、本発明は上記実施形態に限定されるものではなく、本発明の技術思想を逸脱しない限り、種々の変更を加えることができる。
例えば、上記実施形態では、第１アームにトルク発生機構を取り付けて、クラッチ機構によって第２アームとの接続を断続する構成としたが、第２アームにトルク発生機構を取り付けて、そのトルク発生機構にクラッチ機構を介して第１アームを接続する構成とすることも可能である。ただし、前者の方が、第２アームにかかる重量を軽減できるので、回動操作は容易である。
また、第２アームにフレキシブルアームを取り付けて、このフレキシブルアームの先端に投光部を設けたが、第２アームに直接投光部を設けた構造とすることも可能である。
さらに、トルク発生機構及びクラッチ機構の細部構成は前述の実施形態に限定されるものではなく、本発明の趣旨を逸脱しない範囲において種々の変更を加えることが可能である。
【符号の説明】
【００２９】
１  医療用照明装置
２  支持台
３  支柱
４  アーム部
５  投光部
１０  基部アーム
１１  第１アーム
１２  第２アーム
１３  フレキシブルアーム
１４  水平浅海用ヒンジ具
２０  垂直回動用ヒンジ部材
２１  円筒状ハウジング
２２  円筒状ブラケット
２３  内向きフランジ状プレート
３０  トルク発生機構
３１  クラッチ機構
３２  ヒンジ軸
３３  第１軸
３４  第２軸
４０  取付用プレート
４１  摩擦板
４２  補助プレート
４３  押圧部材
６０  検診台
【図１】
2015202146.tif 000003
【図２】
2015202146.tif 000004
【図３】
2015202146.tif 000005
【図４】
2015202146.tif 000006
【図５】
2015202146.tif 000007
【図６】
2015202146.tif 000008
【図７】
2015202146.tif 000009